(57)【要約】【課題】  入力される複数チャネルのうちの一のチャネルについてのデジタルデータの異常が検知された場合に、当該一のチャネル変換直後に変換された他のすべてのチャネルについてのデジタルデータを確実に読み出すことができるようにする。【解決手段】  アナログ／デジタルコンバータ１２により変換されたデジタルデータと当該デジタルデータのチャネルに応じた閾値とを順次比較する比較手段１５と、一のチャネルについてのデジタルデータが閾値を超えたことを検知した場合に、一のチャネルについてのデジタルデータと一のチャネル変換後に変換された他のすべてのチャネルについてのデジタルデータとを保持するデジタルデータ保持手段１６と、このデジタルデータ保持手段１６が全チャネルについてのデジタルデータを保持するのと同時に、デジタルデータが閾値を超えたことを示す信号を外部に対して出力する通知手段２０とをそなえる。【選択図】  図１
2005333258.tif 000002
【特許請求の範囲】
【請求項１】
外部から入力される複数チャネルのアナログデータをデジタルデータに順次変換するアナログ／デジタルコンバータと、
該アナログ／デジタルコンバータにより変換されたデジタルデータと当該デジタルデータの該チャネルに応じた閾値とを順次比較する比較手段と、
該比較手段によって一のチャネルについてのデジタルデータが該閾値を超えたことを検知した場合に、該一のチャネルについてのデジタルデータと該アナログ／デジタルコンバータにおいて該一のチャネル変換後に変換された他のすべてのチャネルについてのデジタルデータとを保持するデジタルデータ保持手段と、
該デジタルデータ保持手段が全チャネルについてのデジタルデータを保持するのと同時に、該デジタルデータが該閾値を超えたことを示す信号を外部に対して出力する通知手段とをそなえたことを特徴とする、アナログ／デジタル変換装置。
【請求項２】
外部から入力される複数チャネルのアナログデータをデジタルデータに順次変換するアナログ／デジタルコンバータと、
該アナログ／デジタルコンバータにより変換されたデジタルデータと当該デジタルデータの該チャネルに応じた閾値とを順次比較する比較手段と、
該比較手段によって一のチャネルについてのデジタルデータが該閾値を所定回数連続して超えたことを検知した場合に、該所定回数目の該一のチャネルについてのデジタルデータと該アナログ／デジタルコンバータにおいて該所定回数目の該一のチャネル変換後に変換された他のすべてのチャネルについてのデジタルデータとを保持するデジタルデータ保持手段と、
該デジタルデータ保持手段が全チャネルについてのデジタルデータを保持するのと同時に、該デジタルデータが該閾値を超えたことを示す信号を外部に対して出力する通知手段とをそなえたことを特徴とする、アナログ／デジタル変換装置。
【請求項３】
該複数チャネル毎に該閾値を保持する閾値保持手段をそなえ、
該比較手段が、該アナログ／デジタルコンバータにより変換されたデジタルデータと該閾値保持手段に保持された当該デジタルデータの該チャネルの該閾値とを比較することを特徴とする、請求項１又は２記載のアナログ／デジタル変換装置。
【請求項４】
該デジタルデータ保持手段は、該通知手段が該信号の出力のクリア指示を外部から受けるまでは、該一のチャネルについてのデジタルデータと該他のチャネルについてのデジタルデータとを保持することを特徴とする、請求項１〜３のいずれか１項に記載のアナログ／デジタル変換装置。
【請求項５】
該デジタルデータ保持手段は、該チャネル毎に該デジタルデータを保持することを特徴とする、請求項１〜４のいずれか１項に記載のアナログ／デジタル変換装置。
【発明の詳細な説明】
【技術分野】
【０００１】
本発明は、外部から入力される複数チャネルのアナログデータをデジタルデータに順次変換するアナログ／デジタル変換装置に関する。
【背景技術】
【０００２】
従来から、アナログ／デジタル変換装置（以下、Ａ／Ｄ変換装置という）を用いてアナログデータ（アナログ値）であらわされる現象（例えば、温度や電圧等の変化）を監視する技術がある。
図４は従来のＡ／Ｄ変換装置を用いた監視システムの構成を示すブロック図である。この図４に示すように、従来の監視システム１００は、Ａ／Ｄ変換装置１０１と、例えばＣＰＵ（Central Processing Unit）からなる制御用コントローラ１１０とをそなえて構成される。
【０００３】
Ａ／Ｄ変換装置１０１は、外部から入力される複数チャネルＣＨ１〜ＣＨｎ（ここではｎは４以上の整数）のアナログデータの中からいずれか１つのチャネルのアナログデータを選択するマルチプレクサ（ＭＰＸ：Multiplexer）１０２と、このＭＰＸ１０２で選択されたチャネルについてのアナログデータをデジタルデータに変換するアナログ／デジタルコンバータ（以下、Ａ／Ｄコンバータという；図中ではＡＤＣと表記）１０３と、このＡ／Ｄコンバータ１０３で変換されたデジタルデータを一時的に保持するデジタル変換値保持手段１０４とをそなえて構成される。
【０００４】
制御用コントローラ１１０は、ＭＰＸ１０２が複数チャネルＣＨ１〜ＣＨｎのアナログデータを周期的に選択するようにＭＰＸ１０２を制御するとともに、Ａ／Ｄコンバータ１０３で順次変換されてデジタル変換値保持手段１０４に順次保持されたデジタルデータを読み出すようになっている。
さらに、制御用コントローラ１１０は、デジタル変換値保持手段１０４から取得したデジタルデータと、当該デジタルデータのチャネルに対応した閾値とを比較する比較手段１１１をそなえて構成されており、制御用コントローラ１１０は、比較手段１１１によって、あるチャネルについてのデジタルデータがかかる閾値を超えたことを検知した場合には、当該チャネルのアナログデータが異常であると判断して、他のすべてのチャネルについてのデジタルデータを読み出して、かかる異常が発生した原因解析を行なうようになっている。
【０００５】
つまり、制御用コントローラ１１０は、比較手段１１１により、あるデジタルデータの異常が検知されると、他のすべてのチャネルについてのデジタルデータを、ＭＰＸ１０２を制御して取得した上で、かかる異常の原因解析を行なう。
図５に図４に示す従来のＡ／Ｄ変換装置１０１を用いた監視システム１００の適用例を示すと、この図５に示すように、監視システム１００が、例えば、ＵＮＩＸ（登録商標）サーバのシステムボード１２０における各構成要素［ここでは、ＣＰＵ１２１やＩ／Ｏ（Input/Output）装置１２２等］の供給電圧や温度を監視する場合には、ＣＰＵ１２１，Ｉ／Ｏ装置１２２に対して直流電圧を供給する電源（ここではＤＣ−ＤＣコンバータ）であるＤＤＣｃ１２３，ＤＤＣｉ１２４からの電圧データや、ＣＰＵ１２１，Ｉ／Ｏ装置１２２の温度を測定するサーミスタであるＴＨｃ１２５，Ｔｈｉ１２６からの温度データが、Ａ／Ｄ変換装置１０１のＭＰＸ１０２に入力される。
【０００６】
そして、図４を参照しながら上述したように、監視システム１００によってＵＮＩＸ（登録商標）サーバのシステムボード１２０における各構成要素の供給電圧や温度が監視され、異常が発生した場合には、その異常の原因解析が行なわれる。
ところで、上記図４に示す監視システム１００では、制御用コントローラ１１０が、デジタル変換値保持手段１０４にデジタルデータが格納される度に、かかるデジタルデータを取得し、比較手段１１１において閾値との比較を行なうように構成されている。そのため、上記図４に示す監視システム１００では、制御用コントローラ１１０の負荷が非常に大きい。
【０００７】
そこで、制御用コントローラ（ＣＰＵ）の負担を低減するために、Ａ／Ｄ変換装置内に比較手段をそなえ、この比較手段によってデジタルデータの異常が検知された場合に限り、制御用コントローラに対して割り込み信号を出力する技術が提案されている（例えば、下記特許文献１，２参照）。
また、Ａ／Ｄ変換装置に比較手段をそなえ、デジタルデータが特定値になったときに、Ａ／Ｄ変換装置の処理を、かかる特定値に対応する処理モードに切り替える技術も提案されている（例えば、下記特許文献３参照）。
【特許文献１】特開２００２−２６１６０９号公報
【特許文献２】特開平４−２６０９１５号公報
【特許文献３】特開平８−７７１３３号公報
【発明の開示】
【発明が解決しようとする課題】
【０００８】
ところで、上述した従来のＡ／Ｄ変換装置１０１を用いた監視システム１００では、複数チャネルＣＨ１〜ＣＨｎのうちの一のチャネルについてのデジタルデータに異常が検知された場合には、制御用コントローラ１１０が、当該一のチャネルについてのデジタルデータと他のすべてのチャネルについてのデジタルデータとを用いて、かかる異常が発生した原因を解析するように構成されている。このとき、制御用コントローラ１１０によって異常の発生原因をより正確に解析するためには、当該一のチャネルについてのデジタルデータとともに、当該一のチャネル変換直後に変換された他のすべてのチャネルについてのデジタルデータを用いて解析を行なうことが望ましい。
【０００９】
しかしながら、上記図４に示すＡ／Ｄ変換装置１０１においては、制御用コントローラ１１０がＡ／Ｄ変換装置１０１にかかる処理以外の他の処理も行なうように構成されている場合には、比較手段１１１により一のデジタルデータの異常が検知されても、他の処理との兼ね合いで、原因解析に必要な他のすべてのデジタルデータをＡ／Ｄ変換装置１０１から直ちに読み出すことができないおそれがある。
【００１０】
しかも、上記図４に示すＡ／Ｄ変換装置１０１では、制御用コントローラ１１０が、原因解析に必要な他のすべてのデジタルデータを読み出すためには、ＭＰＸ１０２を制御して、各チャネルを１つずつ選択し、デジタルデータに変換後、デジタル変換値保持手段１０４に格納されたデジタルデータを１つずつ読み出す必要があり、制御用コントローラ１１０が他の処理を行なわずに監視システム１００としての処理だけを行なう場合でも、他のすべてのデジタルデータを読み出すまでにどうしても時間が掛かってしまう。
【００１１】
また、上述した特許文献１〜３に記載された技術でも、制御用コントローラは、Ａ／Ｄ変換装置からの割り込み信号を受信すると、他の処理を中断して、他のすべてのデジタルデータを１つずつ取得する必要があるため、他のすべてのデジタルデータを読み出すまでに時間が掛かってしまう。さらに、他の処理との兼ね合いで、原因解析に必要な他のすべてのデジタルデータを直ちに読み出すことができないおそれがあり、異常が検知された一のチャネル変換直後に変換された他のすべてのチャネルについてのデジタルデータを確実に読み出すことができない。
【００１２】
このように、上述した従来のＡ／Ｄ変換装置では、一のチャネルについてのデジタルデータに異常が発生したことが検知されても、当該一のチャネル変換直後に変換された他のすべてのチャネルについてのデジタルデータを確実に読み出すことができないという課題があった。
本発明は、このような課題に鑑み創案されたもので、入力される複数チャネルのうちの一のチャネルについてのデジタルデータの異常が検知された場合に、当該一のチャネル変換直後に変換された他のすべてのチャネルについてのデジタルデータを確実に読み出すことができるようにした、アナログ／デジタル変換装置を提供することを目的とする。
【課題を解決するための手段】
【００１３】
上記目的を達成するために、本発明のアナログ／デジタル変換装置は、外部から入力される複数チャネルのアナログデータをデジタルデータに順次変換するアナログ／デジタルコンバータと、このアナログ／デジタルコンバータにより変換されたデジタルデータと当該デジタルデータのチャネルに応じた閾値とを順次比較する比較手段と、この比較手段によって一のチャネルについてのデジタルデータが閾値を超えたことを検知した場合に、一のチャネルについてのデジタルデータとアナログ／デジタルコンバータにおいて一のチャネル変換後に変換された他のすべてのチャネルについてのデジタルデータとを保持するデジタルデータ保持手段と、このデジタルデータ保持手段が全チャネルについてのデジタルデータを保持するのと同時に、外部に対してデジタルデータが閾値を超えたことを示す信号を出力する通知手段とをそなえたことを特徴としている（請求項１）。
【００１４】
また、上記目的を達成するために、本発明のアナログ／デジタル変換装置は、外部から入力される複数チャネルのアナログデータをデジタルデータに順次変換するアナログ／デジタルコンバータと、このアナログ／デジタルコンバータにより変換されたデジタルデータと当該デジタルデータのチャネルに応じた閾値とを順次比較する比較手段と、この比較手段によって一のチャネルについてのデジタルデータが閾値を所定回数連続して超えたことを検知した場合に、所定回数目の一のチャネルについてのデジタルデータとアナログ／デジタルコンバータにおいて所定回数目の一のチャネル変換後に変換された他のすべてのチャネルについてのデジタルデータとを保持するデジタルデータ保持手段と、このデジタルデータ保持手段が全チャネルについてのデジタルデータを保持するのと同時に、外部に対してデジタルデータが閾値を超えたことを示す信号を出力する通知手段とをそなえたことを特徴としている（請求項２）。
【００１５】
なお、複数チャネル毎に閾値を保持する閾値保持手段をそなえ、比較手段が、アナログ／デジタルコンバータにより変換されたデジタルデータと閾値保持手段に保持された当該デジタルデータのチャネルの閾値とを比較することが好ましい（請求項３）。
さらに、デジタルデータ保持手段は、該通知手段が該信号の出力のクリア指示を外部から受けるまでは、一のチャネルについてのデジタルデータと他のチャネルについてのデジタルデータとを保持することが好ましい（請求項４）。
【００１６】
また、デジタルデータ保持手段は、チャネル毎にデジタルデータを保持することが好ましい（請求項５）。
【発明の効果】
【００１７】
このように、本発明のアナログ／デジタル変換装置によれば、通知手段が外部に対してデジタルデータが閾値を超えたことを示す信号を出力する際には、デジタルデータ保持手段によって、上記閾値超えの原因解析に必要なデジタルデータすべてが確実に保持されている。したがって、例えば、上記閾値超えの原因解析を行なう外部のデバイスが本アナログ／デジタル変換装置に接続されている場合には、かかるデバイスが、原因解析に必要なデジタルデータをデジタルデータ保持手段から確実に読み出すことができる。
【００１８】
また、本発明のアナログ／デジタル変換装置によれば、デジタルデータ保持手段は、通知手段が信号の出力のクリア指示を外部から受けるまでは、一のチャネルについてのデジタルデータと他のチャネルについてのデジタルデータとを保持するので、かかるデバイスが、デジタルデータ保持手段が保持しているデジタルデータを読み出すタイミングに関わらず、閾値超えを発生した一のチャネルについてのデジタルデータと、当該一のチャネルについてのデジタルデータが閾値超えを発生した直後に変換された他のチャネルについてのデジタルデータとを確実に読み出すことができる。
【発明を実施するための最良の形態】
【００１９】
以下、図面を参照しながら本発明の実施の形態について説明する。
〔１〕第１実施形態
まず、本発明の第１実施形態について説明すると、図１は本発明の第１実施形態としてのアナログ／デジタル変換装置（以下、Ａ／Ｄ変換装置という）の構成を示すブロック図である。この図１に示すように、本実施形態のＡ／Ｄ変換装置１０は、マルチプレクサ（ＭＰＸ：Multiplexer）１１，アナログ／デジタルコンバータ（ＡＤＣ；以下、Ａ／Ｄコンバータという）１２，デジタル変換値保持手段１３，閾値保持手段１４，マルチプレクサ（ＭＰＸ）１４ａ，デマルチプレクサ（ＤＥＭＰＸ）１４ｂ，比較手段１５，デジタルデータ保持手段１６，デマルチプレクサ（ＤＥＭＰＸ）１６ａ，マルチプレクサ（ＭＰＸ）１６ｂ，第１マルチプレクサ（ＭＰＸ）制御部１７，第２マルチプレクサ（ＭＰＸ）制御部１８，デジタルデータ保持制御部１９，通知手段２０をそなえて構成されている。
【００２０】
第１ＭＰＸ制御部１７は、外部からの指示に従って後述するＤＥＭＰＸ１４ｂ，ＭＰＸ１６ｂを制御するものであり、第２ＭＰＸ制御部１８は、後述するＭＰＸ１１，１４ａ，ＤＥＭＰＸ１６ａを制御するものである。また、本実施形態のＡ／Ｄ変換装置１０では、ＭＰＸ１１，１４ａ，ＤＥＭＰＸ１６ａは、第２ＭＰＸ制御部１８に制御されて自動で周期的にチャネルを選択するようになっている。
【００２１】
ＭＰＸ１１は、第２ＭＰＸ制御部１８に制御されて、外部から入力される複数チャネルＣＨ１〜ＣＨｎ（ここでｎは４以上の整数）のアナログデータの中からいずれか１つのチャネルのアナログデータを選択して、Ａ／Ｄコンバータ１２へ出力するものである。
Ａ／Ｄコンバータ１２は、ＭＰＸ１１から入力されたアナログデータをデジタルデータに変換するものである。
【００２２】
デジタル変換値保持手段１３は、Ａ／Ｄコンバータ１２で変換されたデジタルデータを一時的に保持するものである。
閾値保持手段１４は、各チャネルＣＨ１〜ＣＨｎ毎に閾値を保持するものであり、各チャネルＣＨ１〜ＣＨｎに対応したＣＨ１閾値保持部１４−１〜ＣＨｎ閾値保持部１４−ｎから構成されている。
【００２３】
ＭＰＸ１４ａは、第２ＭＰＸ制御部１８に制御されて、ＣＨ１閾値保持部１４−１〜ＣＨｎ閾値保持部１４−ｎにそれぞれ保持されている閾値の中から１つの閾値を選択して、後述する比較手段１５へ出力するものである。
ＤＥＭＰＸ１４ｂは、ＣＨ１閾値保持部１４−１〜ＣＨｎ閾値保持部１４−ｎが保持する閾値を設定もしくは変更すべく、第１ＭＰＸ制御部１７に制御されて、外部から入力される閾値を所望の閾値保持部１４−１〜１４−ｎへ振り分けるためのものである。
【００２４】
比較手段１５は、デジタル変換値保持手段１３に保持されたデジタルデータと、ＭＰＸ１４ａにより選択され閾値保持手段１４から出力された当該デジタルデータのチャネルについての閾値とを比較するものである。
デジタルデータ保持手段１６は、各チャネルＣＨ１〜ＣＨｎ毎にＡ／Ｄコンバータ１２で変換されたデジタルデータを保持するものであり、各チャネルＣＨ１〜ＣＨｎに対応したＣＨ１デジタルデータ保持部１６−１〜ＣＨｎデジタルデータ保持部１６−ｎから構成されている。
【００２５】
ＤＥＭＰＸ１６ａは、デジタル変換値保持手段１３に保持されたデジタルデータを、当該デジタルデータのチャネルに対応するデジタルデータ保持部１６−１〜１６−ｎに格納すべく、第２ＭＰＸ制御部１８に制御されて、当該デジタルデータを振り分けるためのものである。
ＭＰＸ１６ｂは、第１ＭＰＸ制御部１７に制御されて、ＣＨ１デジタルデータ保持部１６−１〜ＣＨｎデジタルデータ保持部１６−ｎの中から外部へ出力すべきチャネルについてのデジタルデータを選択するものである。
【００２６】
デジタルデータ保持制御部１９は、比較手段１５によって、複数チャネルＣＨ１〜ＣＨｎのうちの一のチャネルについてのデジタルデータが閾値を超えたことを検知した場合に、デジタルデータ保持手段１６が、当該一のチャネルについてのデジタルデータとＡ／Ｄコンバータ１２において当該一のチャネル変換後に変換された他のすべてのチャネルについてのデジタルデータとを保持するように、デジタルデータ保持手段１６を制御するものである。
【００２７】
通知手段２０は、比較手段１５によって、複数チャネルＣＨ１〜ＣＨｎのうちの一のチャネルについてのデジタルデータが閾値を超えたことを検知した場合に、当該一のデジタルデータが閾値を超えたことを示す通知信号（割り込み信号）を外部［例えば制御用コントローラ（ＣＰＵ：Central Processing Unit）］に対して出力するものであり、ここでは、図２を参照しながら後述するごとく、デジタルデータ保持手段１６が全デジタルデータを保持するのと同時に、外部に対して通知信号を出力するように構成されている。
【００２８】
また、通知手段２０は、通知信号を出力している間（つまり、外部からのクリア指示を受けるまで）は、デジタルデータ保持手段１６が、当該一のチャネルについてのデジタルデータと当該一のチャネル変換後に変換された他のすべてのチャネルについてのデジタルデータとを保持するように制御する。
つまり、デジタルデータ保持手段１６は、比較手段１５によって一のチャネルについてのデジタルデータが閾値を超えたことを検知した場合には、当該一のチャネルについてのデジタルデータと当該一のチャネル変換後に変換された他のすべてのチャネルについてのデジタルデータとを、通知手段２０による通知信号がクリアされるまで保持するように構成されている。
【００２９】
次に、本実施形態のＡ／Ｄ変換装置１０の動作手順について説明すると、図２（ａ）〜（ｊ）は本発明の第１実施形態としてのＡ／Ｄ変換装置１０の動作を説明するためのタイミングチャートである。なお、ここでは、外部から入力される複数のチャネルがＣＨ１〜ＣＨ４（即ち、ｎ＝４）である場合を例にあげて説明する。また、図２（ａ）〜（ｊ）において、Ｔ１〜Ｔ１６は、Ａ／Ｄ変換装置１０における処理単位時間（制御周期）を表わすものである。
【００３０】
この図２（ａ）〜（ｊ）に示すように、Ａ／Ｄ変換装置１０では、ＭＰＸ１１が、第２ＭＰＸ制御部１８に制御されて、外部から入力される複数チャネルＣＨ１〜ＣＨ４についてのアナログデータを、ＣＨ１からＣＨ４まで順次周期的に選択する［図２（ａ）参照］。そして、Ａ／Ｄコンバータ１２がＭＰＸ１１で選択された各チャネルについてのアナログデータをデジタルデータに順次変換する［図２（ｂ）参照］。
【００３１】
このとき、ＭＰＸ１４ａは、第２ＭＰＸ制御部１８に制御されて、上記ＭＰＸ１１に対して、選択するチャネルが１チャネルだけずれて動作する［図２（ｃ）参照］。例えば、ＭＰＸ１１がチャネルＣＨ１，ＣＨ２，ＣＨ３，ＣＨ４についてのアナログデータを順次選択する場合には、ＭＰＸ１４ａは、ＭＰＸ１１の選択タイミングと同タイミングで、閾値保持手段１４におけるＣＨ４閾値保持部１４−４，ＣＨ１閾値保持部１４−１，ＣＨ２閾値保持部１４−２，ＣＨ３閾値保持部１４−３を順次選択する。
【００３２】
また、ＤＥＭＰＸ１６ａもＭＰＸ１４ａと同様に、第２ＭＰＸ制御部１８に制御されて、選択するチャネルが上記ＭＰＸ１１に対して１チャネルだけずれて動作する［図２（ｃ）参照］。これにより、デジタル変換値保持手段１３に保持されている変換後のデジタルデータを、当該デジタルデータについてのチャネルに対応するデジタルデータ保持部１６−１〜１６−４に振り分けることができる。
【００３３】
そして、比較手段１５において、デジタル変換値保持手段１３が保持している変換後のデジタルデータと、ＭＰＸ１４ａで選択された閾値保持手段１４に保持されている閾値とが比較される［図２（ｄ）参照］。
つまり、ＭＰＸ１１がチャネルＣＨ１を選択すると［図２（ａ）のＴ１参照］、Ａ／Ｄコンバータ１２がチャネルＣＨ１のアナログデータをデジタルデータに変換し［図２（ｂ）のＴ１参照］、次のタイミング（処理単位時間）で変換後のデジタルデータが、デジタル変換値保持手段１３に格納される［図２（ｄ）のＴ２参照］。
【００３４】
また、変換後のデジタルデータがデジタル変換値保持手段１３に格納されるのと同タイミングで、ＭＰＸ１４ａがＣＨ１閾値保持部１４−１を選択するため［図２（ｃ）のＴ２参照］、比較手段１５にチャネルＣＨ１についてのデジタルデータと、チャネルＣＨ１に対応した閾値とが入力されて、比較される［図２（ｄ）のＴ２参照］。
さらに、かかる同タイミングで、ＤＥＭＰＸ１６ａもチャネルＣＨ１についてのＣＨ１デジタルデータ保持部１６−１を選択し［図２（ｃ）のＴ２参照］、次のタイミングで、チャネルＣＨ１についてのデジタルデータが、ＣＨ１デジタルデータ保持部１６−１に格納される［図２（ｇ）のＴ３参照］。
【００３５】
そして、比較手段１５において、閾値超えを検出しない限りは、上述した通常の動作が各チャネルに対して順次実施される。
ここで、比較手段１５において、チャネルＣＨ３についてのデジタルデータが閾値を超えたことを検知した場合には［図２（ｄ）のＴ４参照］、次のタイミングにおいて、デジタルデータ保持制御部１９が、デジタルデータ保持手段１６に格納されたチャネルＣＨ３についてのデジタルデータと、かかるチャネルＣＨ３変換後に変換されて新たにデジタルデータ保持手段１６に格納された他のチャネルについてのデジタルデータとを更新せずに保持させるための保持制御信号をアサートし［図２（ｅ）のＴ５参照］、ｎ−１カウント後（ここではｎ＝４であるため、３カウント後）に、かかる保持制御信号をネゲートする［図２（ｅ）のＴ８参照］。
【００３６】
そして、保持制御信号をネゲートするのと同時に、通知手段２０が、チャネルＣＨ３についてのデジタルデータが閾値超えをしたことを示す通知信号を外部に対して出力し［図２（ｆ）のＴ８参照］、外部から、かかる通知信号に対するクリア指示が行なわれるまでは、この通知信号を発信する［図２（ｆ）のＴ１４参照］。つまり、通知手段２０は、閾値超えをしたチャネル（ここではチャネルＣＨ３）を起点とした変換周期における最後のチャネル（ここではチャネルＣＨ２）が、デジタルデータ保持手段１６に保持されるのと同タイミングで、通知信号を出力する。
【００３７】
また、通知手段２０が通知信号を出力している間［図２（ｆ）のＴ８〜Ｔ１４参照］も、デジタルデータ保持手段１６は、閾値超えをしたチャネルＣＨ３についてのデジタルデータと、かかるチャネルＣＨ３変換後に変換されて新たに格納された他のチャネルについてのデジタルデータとを保持し続けるようになっている［図２（ｇ）〜（ｊ）のＴ８〜Ｔ１４参照］。なお、通知手段２０による通知信号がクリアされた後には、上述した通常の動作が行なわれる（図２のＴ１５，Ｔ１６参照）。
【００３８】
このように、デジタルデータ保持手段１６は、デジタルデータ保持制御部１９による保持制御信号がアサートされてから、通知手段２０による通知信号の出力がクリアされるまでは［図２のＴ５〜Ｔ１４参照］、閾値超えをしたチャネルＣＨ３についてのデジタルデータと、かかるチャネルＣＨ３変換後に変換されて新たに格納された他のチャネルについてのデジタルデータとを保持し続ける［図２（ｇ）〜（ｊ）の斜線部参照］。
【００３９】
なお、本実施形態のＡ／Ｄ変換装置１０では、デジタルデータ保持制御部１９による保持制御信号がアサートされてから、通知手段２０による通知信号の出力がクリアされるまでの間に、比較手段１５がチャネルＣＨ３以外の他のチャネルについてのデジタルデータが閾値超えを検知しても、かかる閾値超えについては、無視して受け付けないようになっている。
【００４０】
したがって、本実施形態のＡ／Ｄ変換装置１０を、例えば上記図４，図５に示すような監視システムに適用した場合には、外部の制御用コントローラは、通知手段２０からの通知信号を検出すると、閾値超えが発生した原因解析を行なうべく、第１ＭＰＸ制御部１７を介してＭＰＸ１６ｂを制御して、デジタルデータ保持手段１６に保持されたデジタルデータを順次読み出す。
【００４１】
このとき、本実施形態のＡ／Ｄ変換装置１０によれば、デジタルデータ保持手段１６が、閾値超えを発生した一のチャネルについてのデジタルデータと、当該一のチャネル変換直後に変換された他のチャネルすべてについてのデジタルデータとを保持するのと同時（つまり、かかる保持が完了することが確定した時点）で、通知手段２０が通知信号を制御用コントローラに対して出力するため、制御用コントローラは、かかる原因解析に必要なデジタルデータすべてを確実に読み出すことができる。
【００４２】
つまり、本実施形態のＡ／Ｄ変換装置１０によれば、外部の制御用コントローラの処理に関わらず独立して、閾値超えを発生した一のチャネルについてのデジタルデータと、当該一のチャネル変換直後に変換された他のチャネルすべてについてのデジタルデータとを保持することができる。
しかも、本実施形態のＡ／Ｄ変換装置１０によれば、デジタルデータ保持手段１６が、デジタルデータ保持制御部１９による保持制御信号がアサートされてからは、制御用コントローラによって通知手段２０による通知信号がクリアされない限り、上記のすべてのデジタルデータを更新せずに保持するため、制御用コントローラが、例えば他の処理等によって、デジタルデータ保持手段１６から上記のすべてのデジタルデータを読み出す時間が遅れたとしても、全デジタルデータ（即ち、当該一のデジタルデータと、当該一のデジタルデータが閾値超えを発生した直後の他のチャネルについてのデジタルデータと）を確実に読み出すことができる。
【００４３】
〔２〕第２実施形態
次に、本発明の第２実施形態について説明すると、図３は本発明の第２実施形態としてのＡ／Ｄ変換装置の構成を示すブロック図である。なお、図３において上記図１と同符号のものは同様もしくは略同様のものを示す。
この図３に示すように、本実施形態のＡ／Ｄ変換装置１０ａは、上記第１実施形態のＡ／Ｄ変換装置１０に対して、通知手段２０ａが比較回数設定手段２０ｂをそなえて構成されている点のみが異なっているため、ここでは、上記第１実施形態と同様の構成についてはその詳細な説明は省略し、通知手段２０ａ及び比較回数設定手段２０ｂについて詳細に説明する。
【００４４】
本実施形態のＡ／Ｄ変換装置１０ａでは、通知手段２０ａは、比較手段１５が一のチャネルについてのデジタルデータの閾値超えを比較回数設定手段２０ｂにより設定された回数連続して検知した場合に、外部に対して通知信号を出力するように構成されている。
したがって、本実施形態では、デジタルデータ保持制御部１９及び通知手段２０ａにより、デジタルデータ保持手段１６が、比較手段１５によって一のチャネルについてのデジタルデータが、比較回数設定手段２０ｂで設定された所定回数連続して閾値を超えたことを検知した場合に、上記所定回数目の当該一のチャネルについてのデジタルデータと、上記所定回数目の当該一のチャネル変換後に変換された他のすべてのチャネルについてのデジタルデータとを保持するように制御される。
【００４５】
そして、通知手段２０ａは、デジタルデータ保持手段１６が、上記所定回数目の当該一のチャネルについてのデジタルデータと、当該一のチャネル変換後に変換された他のチャネルすべてについてのデジタルデータとを保持するのと同時に、外部に対して通知信号を出力するようになっている。
なお、本実施形態においても、デジタルデータ保持手段１６は、デジタルデータ保持制御部１９による保持制御信号がアサートされてから、通知手段２０ａによる通知信号の出力がクリアされるまでの間は、上記所定回数目に閾値超えをした当該一のチャネルについてのデジタルデータと、当該一のチャネル変換後に変換されて新たに格納された他のチャネルについてのデジタルデータとを更新せずに保持し続けるようになっている。
【００４６】
このように、本発明の第２実施形態としてのＡ／Ｄ変換装置１０ａによれば、上述した第１実施形態と同様の効果を得ることができるとともに、比較手段１５によって、一のチャネルについての閾値超えが所定回数連続して検知された場合にのみ、通知手段２０ａが外部に対して通知信号を出力するため、閾値超えの誤検知を確実に抑止することができる。
【００４７】
〔３〕その他
なお、本発明は上述した実施形態に限定されるものではなく、本発明の趣旨を逸脱しない範囲で種々変形して実施することができる。
例えば、上述した実施形態では、デジタルデータ保持制御部１９が、保持制御信号を通知手段２０（２０ａ）による通知信号の出力にあわせてネゲートするように構成したが、デジタルデータ保持制御部１９が、通知手段２０（２０ａ）による通知信号に対する外部からのクリア指示に応じて、保持制御信号をネゲートするように構成してもよい。この場合には、通知手段２０が、デジタルデータ保持手段１６によるデジタルデータの保持を制御する必要はない。
【００４８】
また、上述した実施形態では、外部から入力される複数のチャネル数ｎが４以上の整数である場合について説明したが、本発明はこれに限定されるものではなく、ｎは２以上の整数であればよい。
【図面の簡単な説明】
【００４９】
【図１】本発明の第１実施形態としてのＡ／Ｄ変換装置の構成を示すブロック図である。
【図２】本発明の第１実施形態としてのＡ／Ｄ変換装置の動作を説明するためのタイミングチャートである。
【図３】本発明の第２実施形態としてのＡ／Ｄ変換装置の構成を示すブロック図である。
【図４】従来のＡ／Ｄ変換装置を用いた監視システムの構成を示すブロック図である。
【図５】図４に示す監視システムの適用例を示すブロック図である。
【符号の説明】
【００５０】
１０  Ａ／Ｄ変換装置
１１，１４ａ，１６ｂ  マルチプレクサ（ＭＰＸ）
１２  Ａ／Ｄコンバータ
１３  デジタル変換値保持手段
１４  閾値保持手段
１４−１，１４−２，１４−３，・・・，１４−ｎ  閾値保持部
１４ｂ，１６ａ  デマルチプレクサ（ＤＥＭＰＸ）
１５  比較手段
１６  デジタルデータ保持手段
１６−１，１６−２，１６−３，・・・，１６−ｎ  デジタルデータ保持部
１７  第１ＭＰＸ制御部
１８  第２ＭＰＸ制御部
１９  デジタルデータ保持制御部
２０，２０ａ  通知手段
２０ｂ  比較回数設定手段
【図１】
2005333258.tif 000003
【図２】
2005333258.tif 000004
【図３】
2005333258.tif 000005
【図４】
2005333258.tif 000006
【図５】
2005333258.tif 000007